(57)【特許請求の範囲】
【請求項１】
送信信号を第１の送信信号と第２の送信信号に分割し、前記第１の送信信号を第１の送信フィルタに入力し、前記第２の送信信号を第２の送信フィルタに入力するステップ（Ｓ１０１）であって、前記第１の送信フィルタと前記第２の送信フィルタは、同一のチップに統合されるか、または、同一の基板に統合されるか、または、同一のパッケージに統合されるか、または、同一のモジュールに統合され、電気的性能が前記第１の送信フィルタと前記第２の送信フィルタの間で均一である、ステップ（Ｓ１０１）と、
第１の干渉信号と第２の干渉信号を調節して逆位相の信号を取得するステップであって、前記第１の干渉信号は、前記第１の送信信号が前記第１の送信フィルタと第１の受信フィルタを通過した後に前記第１の送信信号から受信チャネルに漏洩した信号を含み、前記第２の干渉信号は、前記第２の送信信号が前記第２の送信フィルタと第２の受信フィルタを通過した後に前記第２の送信信号から受信チャネルに漏洩した信号を含み、前記受信チャネルは受信器が信号を受信するためのチャネルであるステップ（Ｓ１０２）と、
逆位相の前記信号を結合するステップ（Ｓ１０３）と、
を含む、干渉消去方法。
【請求項２】
前記送信信号を前記第１の送信信号と前記第２の送信信号に分割し、前記第１の送信信号を前記第１の送信フィルタに入力し、前記第２の送信信号を前記第２の送信フィルタに入力するステップは、
分割器を用いて前記送信信号を前記第１の送信信号および位相差が９０度である前記第２の送信信号に分割し、前記第１の送信信号を第１のデュプレクサに入力し、前記第２の送信信号を第２のデュプレクサに入力するステップ
を含み、
前記第１のデュプレクサは前記第１の受信フィルタと前記第１の送信フィルタを備え、
前記第２のデュプレクサは前記第２の受信フィルタと前記第２の送信フィルタを備える、
請求項１に記載の方法。
【請求項３】
電気的性能が前記第１の受信フィルタと前記第２の受信フィルタの間で均一である、請求項２に記載の方法。
【請求項４】
前記第１の干渉信号と前記第２の干渉信号を調節して逆位相の信号を取得するステップは、
前記第１の受信フィルタから出力された前記第１の干渉信号と前記第２の受信フィルタから出力された前記第２の干渉信号を９０度結合器に入力して９０度の位相シフトを行い、前記信号を出力するステップ
を含む、請求項２または３に記載の方法。
【請求項５】
前記送信信号を前記第１の送信信号と前記第２の送信信号に分割し、前記第１の送信信号を前記第１の送信フィルタに入力し、前記第２の送信信号を前記第２の送信フィルタに入力するステップは、
前記送信信号の一部を結合するための結合器を用いて、前記結合器により結合された送信信号の一部を第１の送信信号として前記第１の受信フィルタに入力し、前記結合器により結合されなかった前記送信信号の一部を第２の送信信号としてデュプレクサに入力するステップであって、前記第１の受信フィルタは前記第１の送信信号を前記第１の送信フィルタに入力し、前記デュプレクサは前記第２の受信フィルタと前記第２の送信フィルタを備えるステップ
を含む、請求項１に記載の方法。
【請求項６】
前記第１の干渉信号と前記第２の干渉信号を調節して逆位相の信号を取得するステップは、
前記第１の受信フィルタから出力された前記第１の干渉信号を位相調整器に入力して１８０度の位相シフトを行い、前記第１の干渉信号を前記第１の送信フィルタに入力するステップであって、前記第１の送信フィルタは前記１８０度の位相シフトを受けた信号を出力するステップ
を含む、請求項５に記載の方法。
【請求項７】
送信信号を第１の送信信号と第２の送信信号に分割し、前記第１の送信信号を第１の送信フィルタに入力し、前記第２の送信信号を前記第１の送信フィルタと対称な第２の送信フィルタに入力するように構成された信号分割モジュール（２０１）であって、前記第１の送信フィルタと前記第２の送信フィルタは、同一のチップに統合されるか、または、同一の基板に統合されるか、または、同一のパッケージに統合されるか、または、同一のモジュールに統合され、電気的性能が前記第１の送信フィルタと前記第２の送信フィルタの間で均一である、信号分割モジュール（２０１）と、
第１の干渉信号と第２の干渉信号を調節して逆位相の信号を取得するように構成された位相整合モジュールであって、前記第１の干渉信号は、前記第１の送信信号が前記第１の送信フィルタと第１の受信フィルタを通過した後に前記第１の送信信号から受信チャネルに漏洩した信号を含み、前記第２の干渉信号は、前記第２の送信信号が前記第２の送信フィルタと第２の受信フィルタを通過した後に前記第２の送信信号から受信チャネルに漏洩した信号を含み、前記受信チャネルは受信器が信号を受信するためのチャネルである位相整合モジュール（２０２）と、
逆位相の前記信号を結合するように構成された結合モジュール（２０３）と、
を備える、干渉消去装置。
【請求項８】
前記信号分割モジュールは、
前記送信信号を第１の送信信号と位相差が９０度である第２の送信信号とに分割し、前記第１の送信信号を第１のデュプレクサ（３０３）に入力し、前記第２の送信信号を第２のデュプレクサ（３０４）に入力するように構成された分割器であって、前記第１のデュプレクサ（３０３）は前記第１の受信フィルタ（３０３１）と前記第１の送信フィルタ（３０３２）を備え、前記第２のデュプレクサ（３０４）は前記第２の受信フィルタ（３０４１）と前記第２の送信フィルタ（３０４２）を備える分割器（３０１）
を備える、請求項７に記載の装置。
【請求項９】
電気的性能が前記第１の受信フィルタ（３０３１）と前記第２の受信フィルタ（３０４１）の間で均一である、請求項８に記載の装置。
【請求項１０】
前記位相整合モジュール（２０２）は、
９０度の位相シフトを前記第１の受信フィルタ（３０３１）から出力された前記第１の干渉信号と前記第２の受信フィルタ（３０４１）から出力された前記第２の干渉信号とに対して行い、前記第１の干渉信号と前記第２の干渉信号を出力するように構成された９０度結合器（３０２、３０５）
を備える、請求項８または９に記載の装置。
【請求項１１】
前記信号分割モジュール（２０１）は、
前記送信信号の一部を結合し、結合された送信信号の一部を第１の送信信号として前記第１の受信フィルタ（４０１）に入力するように構成された結合器（４０７、４０８）であって、前記結合器（４０７、４０８）により結合されなかった前記送信信号の一部は第２の送信信号として、前記第２の受信フィルタ（４０３１）と前記第２の送信フィルタ（４０３２）を備えるデュプレクサ（４０３）に入力される結合器（４０７、４０８）  を備える、請求項７に記載の装置。
【請求項１２】
電気的性能が前記第２の受信フィルタ（４０３１）と前記第１の受信フィルタ（４０１）の間で均一である、請求項１１に記載の装置。
【請求項１３】
前記位相整合モジュール（２０２）は、
１８０度の位相シフトを前記第１の受信フィルタ（４０１）により出力された前記第１の干渉信号に対して行い、前記信号を前記第１の送信フィルタ（４０２）に入力するように構成された位相調整器（４０４）
を備える、請求項１１または１２に記載の装置。
【請求項１４】
前記位相整合モジュール（２０２）は、
前記位相調整器（４０４）と接続され前記位相調整器（４０４）により出力された前記第１の干渉信号の振幅を調節するように構成されるか、または、前記第１の受信フィルタ（４０１）と接続され前記第１の受信フィルタ（４０１）により出力された前記第１の干渉信号の振幅を調節して前記第１の干渉信号の前記振幅が前記第２の受信フィルタ（４０３１）により出力された第２の干渉信号の振幅と等しいようにするように構成された振幅調節ユニット（５０１）
をさらに備える、請求項１３に記載の装置。
【請求項１５】
前記位相整合モジュール（２０２）は位相調節ユニット（６０１）と振幅調節ユニット（６０２）を備え、
前記位相調節ユニット（６０１）は、１８０度の位相シフトを前記第１の受信フィルタ（４０１）により出力された前記第１の干渉信号に対して行い、取得した信号を前記振幅調節ユニット（６０２）に入力するように構成され、
前記振幅調節ユニット（６０２）は、前記第１の干渉信号の振幅を調節して前記第１の干渉信号の前記振幅が前記第２の干渉信号の振幅と等しいようにするように構成された、
請求項１１または１２に記載の装置。
【発明の詳細な説明】
【技術分野】
【０００１】
本願は、発明の名称を「干渉消去の方法および装置ならびにフィルタ装置」とした２０１２年１月２１日出願の中国特許出願第２０１２１００１９７６２．７号の優先権を主張し、その全体を引用により本明細書に組み込む。
【０００２】
本発明は無線通信の分野に関し、特に、干渉消去の方法および装置ならびにフィルタ装置に関する。
【背景技術】
【０００３】
双方向無線通信では、周波数多重分割（Ｆｒｅｑｕｅｎｃｙ  Ｄｉｖｉｓｉｏｎ  Ｍｕｌｔｉｐｌｅｘｉｎｇ、ＦＤＭ）システムにおける送信器と受信器にアンテナを共有させるために、デュプレクサが送信信号を受信信号から区別する必要がある。一般に、デュプレクサは送信器フィルタ、受信器フィルタ、組合せ回路等から構成される。組合せ回路は、送信線、抵抗器、およびキャパシタのような無効成分を含む。組合せ回路は、基本的には、送信器フィルタと受信器フィルタの間の相互影響を低減できる位相調整回路である。
【０００４】
一般に、デュプレクサには、キャビティ・デュプレクサ、誘電体デュプレクサ、表面弾性波（Ｓｕｒｆａｃｅ  Ａｃｏｕｓｔｉｃ  Ｗａｖｅ、ＳＡＷ）フィルタ、圧電共振子（Ｂｕｌｋ  Ａｃｏｕｓｔｉｃ  Ｒｅｓｏｎａｔｏｒ、ＢＡＲ）、および圧電薄膜共振子（Ｆｉｌｍ  Ｂｕｌｋ  Ａｃｏｕｓｔｉｃ  Ｒｅｓｏｎａｔｏｒ、ＦＢＡＲ）がある。ＦＢＡＲは圧電共振技術に基づくデュプレクサであり、電気エネルギを音波に変換して圧電フィルムの圧電逆効果を介した共振をもたらす。音波の波速は電磁波の波速より約５桁だけ遅い。したがって、同じ動作周波数では、ＦＢＡＲのサイズは電磁ベースの誘電体磁器装置のサイズより非常に小さくてもよい。一方、バルク超音波は表面弾性波より大きな電力耐性能力を有するので、ＦＢＡＲは表面弾性フィルタより良好な電力容量特性を有する。
【０００５】
通信技術の発展により、運用者は益々小型の通信システムを必要としている。基本的に、新たな基地局の形態の出現により小型のシステムに厳しい要求が課されている。現在、無線部分の多くの個々の装置が置き換えられている。基本的に、低雑音増幅器（Ｌｏｗ  Ｎｏｉｓｅ  Ａｍｐｌｉｆｅｒ、ＬＮＡ）、可変利得増幅器、および中間周波数フィルタのような受信器内の個々の装置が無線集積回路に統合されている。キャビティ・デュプレクサを小型のデュプレクサで置き換えることが非常に重要である。マルチキャリアの送受信器では、当該デュプレクサ抑制に厳しい要求が課されている（即ち、受信チャネルに漏洩した信号と送信器が送信した信号の比。当該比の値が小さいことは、受信信号に対する干渉が弱いことを意味する）。従来型の小型のフィルタでは、基地局が課す厳しい要求を満たすことが殆どできない。したがって、抑制要求をどのように低減するかがデュプレクサのサイズ低減の要である。
【０００６】
送信器が受信器に課す抑制要求を低減するための先行技術の解決策は、干渉消去をシミュレートすることである。この解決策では、振幅位相調整器が、送信チャネルから結合された送信信号の位相を干渉消去チャネルで調節して当該信号を出力する。受信器側では、位相が振幅位相調整器により調節された送信信号が、送信チャネル上で送信フィルタから漏洩した送信信号と重ね合わされることにより、送信信号により生じた受信信号への干渉を消去する。
【発明の概要】
【発明が解決しようとする課題】
【０００７】
本発明の発明者は研究を通じて、先行技術においては送信チャネルに対する送信フィルタの帯域外（送信帯域外の帯域）フィルタ機能のため、帯域外振幅と位相応答が鋭く変動しその遅延が鋭く変化するが、干渉消去チャネル内の受信フィルタの受信帯域は通過帯域であり（通信帯域とは送信フィルタの送信帯域外の帯域である）、受信フィルタの振幅と位相応答が送信チャネル上の送信フィルタの帯域外振幅や位相応答と比べて相対的に一定であることを発見した。したがって、振幅位相調整器が干渉消去チャネル上で送信フィルタにより出力された送信信号の位相を調節できたとしても、送信信号の位相は、位相を調節した後の送信チャネルで送信フィルタにより出力された送信信号の位相と必ずしも反対ではない。したがって、送信信号により生じた受信信号への干渉は消去されず、さらに悪化するおそれがある。例えば、送信チャネル上の送信フィルタの帯域外位相変動により、位相を振幅位相調整器により調節した後に、送信チャネルから結合された送信信号の位相は、送信チャネル上の送信フィルタにより出力された送信信号の位相と丁度同じである。この場合、送信信号により生じた受信信号への干渉は消去されず、劇的に増大する。
【課題を解決するための手段】
【０００８】
本発明の諸実施形態では、干渉消去の方法および装置ならびにフィルタ装置を提供して、受信チャネルから漏洩した干渉信号を消去し、受信チャネルが送信信号を抑制できるようにする。
【０００９】
本発明の１実施形態で提供する干渉消去方法は、送信信号を第１の送信信号と第２の送信信号に分割し、当該第１の送信信号を第１の送信フィルタに入力し当該第２の送信信号を当該第１の送信フィルタと対称な第２の送信フィルタに入力するステップと、第１の干渉信号と第２の干渉信号を調節して逆位相の信号を取得するステップであって、当該第１の干渉信号は、当該第１の送信信号が当該第１の送信フィルタと第１の受信フィルタを通過した後に当該第１の送信信号から受信チャネルに漏洩した信号を含み、当該第２の干渉信号は、当該第２の送信信号が当該第２の送信フィルタと第２の受信フィルタを通過した後に当該第２の送信信号から受信チャネルに漏洩した信号を含み、当該受信チャネルは受信器が信号を受信するためのチャネルであるステップと、逆位相の当該信号を結合するステップとを含む。
【００１０】
さらに、本発明の１実施形態で提供する干渉消去装置は、送信信号を第１の送信信号と第２の送信信号に分割し、当該第１の送信信号を第１の送信フィルタに入力し、当該第２の送信信号を当該第１の送信フィルタと対称な第２の送信フィルタに入力するように構成された信号分割モジュールと、第１の干渉信号と第２の干渉信号を調節して逆位相の信号を取得するように構成された位相整合モジュールであって、当該第１の干渉信号は、当該第１の送信信号が当該第１の送信フィルタと第１の受信フィルタを通過した後に当該第１の送信信号から受信チャネルに漏洩した信号を含み、当該第２の干渉信号は、当該第２の送信信号が当該第２の送信フィルタと第２の受信フィルタを通過した後に当該第２の送信信号から受信チャネルに漏洩した信号を含み、当該受信チャネルは受信器が信号を受信するためのチャネルである位相整合モジュールと、逆位相の当該信号を結合するように構成された結合モジュールとを備える。
【００１１】
さらに、本発明の１実施形態で提供するフィルタ装置は第１のデュプレクサと第２のデュプレクサを備える。当該第１のデュプレクサは第１の受信フィルタと第１の送信フィルタを備え、当該第２のデュプレクサは第２の受信フィルタと第２の送信フィルタを備える。当該第１の送信フィルタは当該第２の送信フィルタと対称的であるか、または、当該第１の受信フィルタは当該第２の受信フィルタと対称的であり、かつ、当該第１の送信フィルタは当該第２の送信フィルタと対称的である。
【００１２】
さらに、本発明の１実施形態で提供するフィルタ装置は、第１の受信フィルタ、第１の送信フィルタ、およびデュプレクサを備える。当該デュプレクサは、第２の受信フィルタと第２の送信フィルタを備える。当該第１の送信フィルタは当該第２の送信フィルタと対称的であるか、または、当該第１の受信フィルタは当該第２の受信フィルタと対称的でありかつ当該第１の送信フィルタは当該第２の送信フィルタと対称的である。
【００１３】
さらに、本発明の１実施形態で提供するフィルタ装置は、第１の送信フィルタと第２の送信フィルタを備える。当該第１の送信フィルタと当該第２の送信フィルタは、同一チップに統合されるか、または、同一基板に統合されるか、または、同一パッケージに統合されるか、または、同一モジュールに統合される。
【００１４】
さらに、本発明の１実施形態で提供するフィルタ装置は第１の受信フィルタと第２の受信フィルタを備える。当該第１の受信フィルタと当該第２の受信フィルタは同一チップに統合されるか、または、同一基板に統合されるか、または、同一パッケージに統合されるか、または、同一モジュールに統合される。
【００１５】
さらに、本発明の１実施形態で提供するフィルタ装置は第１のデュプレクサと第２のデュプレクサを備える。当該第１のデュプレクサと当該第２のデュプレクサは同一チップに統合されるか、または、同一基板に統合されるか、または、同一パッケージに統合されるか、または、同一モジュールに統合される。
【００１６】
さらに、本発明の１実施形態で提供するフィルタ装置は第１の受信フィルタ、第１の送信フィルタ、およびデュプレクサを備える。当該デュプレクサ、当該第１の受信フィルタ、および当該第１の送信フィルタは同一チップに統合されるか、または、同一基板に統合されるか、または、同一パッケージに統合されるか、または、同一モジュールに統合される。
【００１７】
本発明の１実施形態で提供する基地局は上で提供した干渉消去装置を備える。さらに、本発明の１実施形態で提供する通信システムは上で提供した基地局を備える。
【００１８】
上の諸実施形態で示したように、第１の送信信号が第１の送信フィルタに入力され、第２の送信信号が第２の送信フィルタに入力され、当該第１の送信フィルタは当該第２の送信フィルタと対称的であり、当該第１の送信フィルタと当該第２の送信フィルタから出力された干渉信号が最終的に逆位相の信号になるように調節されて結合される。したがって、本明細書で提供する方法と装置は、受信チャネルに漏洩した干渉信号を消去することができ、当該受信チャネルは送信信号を効果的に抑制し、送信信号により生じた受信信号への干渉が消去される。
【００１９】
本発明の技術的解決策をより明確に説明するために、以下では本発明の諸実施形態または先行技術の説明で必要な添付図面を外観する。明らかに、添付図面は例示的であって包括的ではなく、当業者は何ら創造的作業なしに添付図面から他の図面を導出することができる。
【図面の簡単な説明】
【００２０】
【図１】本発明の１実施形態に従う干渉消去方法の略流れ図である。
【図２】本発明の１実施形態に従う干渉消去装置の略構造図である。
【図３】本発明の別の実施形態に従う干渉消去装置の略構造図である。
【図４Ａ】本発明の別の実施形態に従う干渉消去装置の略構造図である。
【図４Ｂ】本発明の別の実施形態に従う干渉消去装置の略構造図である。
【図５Ａ】本発明の別の実施形態に従う干渉消去装置の略構造図である。
【図５Ｂ】本発明の別の実施形態に従う干渉消去装置の略構造図である。
【図６Ａ】本発明の別の実施形態に従う干渉消去装置の略構造図である。
【図６Ｂ】本発明の別の実施形態に従う干渉消去装置の略構造図である。
【図７】本発明の１実施形態に従うフィルタの略構造図である。
【図８】本発明の別の実施形態に従うフィルタの略構造図である。
【図９】本発明の別の実施形態に従うフィルタの略構造図である。
【発明を実施するための形態】
【００２１】
本発明の諸実施形態における技術的解決策を以下で添付図面を参照して明確かつ十分に説明する。明らかに、説明する諸実施形態は本発明の例示的な実施形態の一部にすぎず、本発明の全ての実施形態ではない。他の全ての実施形態は、本明細書で与える諸実施形態から当業者が何ら創造的作業なしに導出でき、本発明の保護範囲に入るものとする。
【００２２】
本発明の諸実施形態では、「Ａおよび／またはＢ」とはＡまたはＢまたはＡとＢの両方をいい、「Ａ／Ｂ」は一般に「ＡまたはＢ」をいう。ＡとＢは「および／または」および「／」の前後のものを表す。
【００２３】
図１は、本発明の１実施形態に従う干渉消去方法の略流れ図である。図１に示す方法はＦＤＭシステムにおける送受信器に適用可能であり、以下のステップを含む。
【００２４】
Ｓ１０１では、送信信号を第１の送信信号と第２の送信信号に分割し、当該第１の送信信号を第１の送信フィルタに入力し、当該第２の送信信号を当該第１の送信フィルタと対称な第２の送信フィルタに入力する。
【００２５】
本発明の諸実施形態では、送信信号とは、送受信器のデジタル処理ユニットから出力され、送信チャネルのデジタル・アナログ変換器、周波数混合器、フィルタ、増幅器により処理され、アンテナ・ポートから送信される信号をいい、受信信号とは、アンテナ・ポートから受信され、受信チャネルの増幅器、フィルタ、周波数混合器、およびアナログ・デジタル変換器のようなモジュールにより処理され、送受信器のデジタル処理ユニットに入力される信号をいう。当該送受信器は、周波数多重分割（Ｆｒｅｑｕｅｎｃｙ  Ｄｉｖｉｓｉｏｎ  Ｄｕｐｌｅｘｉｎｇ、ＦＤＤ）帯に適用され、送信信号と受信信号がアンテナを共有する。したがって、送信信号（即ち、送信帯域）により占有される帯域は、受信信号（即ち、受信帯域）に占有される帯域と交互に生じ、または、送信器の通過帯域は受信器の阻止帯域であり、または、送信器の阻止帯域は受信器の通過帯域である。送信チャネルとは送信器が信号を送信するためのチャネルをいい、受信チャネルとは受信器が信号を受信するためのチャネルをいう。受信帯域は受信信号が占有する主な帯域であるので、一般に受信帯域を使用して受信チャネルを表し、または、受信チャネルが受信帯域を表すことに留意されたい。これは送信帯域と送信チャネルの関係と同じである。装置の非線形性のような要因のため、信号を送信するときに、送信信号および／または送信信号から導出した相互変調信号の一部が受信チャネルに漏洩し、受信信号で干渉が生ずることがある。干渉の抑制は受信チャネルにより送信信号に対して行われる抑制としても知られている。
【００２６】
ＦＢＡＲまたはＳＡＷのサイズは小さいので、ＦＢＡＲまたはＳＡＷで構成された送受信器は、運用者が通信システムに課す小型要求を良く満たす。したがって、本発明の諸実施形態では、第１の送信フィルタと第２の送信フィルタはＦＢＡＲまたはＳＡＷであってもよいがこれらに限らない。ＢＡＷのような他の小型フィルタを代わりに第１の送信フィルタおよび第２の送信フィルタとして使用してもよい。ＦＢＡＲ、ＳＡＷおよびＢＡＷはウェハ切削プロセスを使用している。当該切削プロセスでは、ウェハ上の２つの隣接するフィルタまたはデュプレクサを、切削を通じて同一のチップ（ダイまたはチップ）に構成してもよい。このように、同一チップに配置された２つのフィルタまたはデュプレクサの間の一貫した電気的性能を保証するのは容易である。例えば、本発明の諸実施形態では、かかる切削モードにより、当該第１の送信フィルタと当該第２の送信フィルタを同一チップに配置してもよく、当該第１の送信フィルタは当該第２の送信フィルタと対称的である。当該第１の送信フィルタは当該第２の送信フィルタと対称的である。即ち、当該第１の送信フィルタと当該第２の送信フィルタは対称的に同一の構造と特徴を有する。例えば、第１の送信フィルタの送信応答遅延、位相、および振幅のような特徴は第２の送信フィルタと同じである。加えて、当該第１の送信フィルタと当該第２の送信フィルタの間の対称性は、当該第１の送信フィルタと当該第２の送信フィルタが同一の構造と特徴を有するという現象には限定されない。本発明の目的を達成するためには、電気的性能が当該第１の送信フィルタと当該第２の送信フィルタの間で一貫している場合で十分である。一貫した電気的性能とは、電気的性能が完全に同一であること、または、電気的性能の差異が干渉消去の結果に及ぼす影響が許容可能な範囲にあり一定の変動が許容されることを意味する。理解できるように、「同一の構造と特徴」では、単語「同一」の意味は、構造または特徴の差異が干渉消去の結果に及ぼす影響が許容範囲にあるシナリオをも包含する。同一の構造と特徴では、一貫した電気的性能が保証される。「対称的」の定義は本発明の他の諸実施形態にも適用可能である。電気的性能が、送信応答遅延、位相、振幅等を含んでもよい。
【００２７】
本発明の全ての諸実施形態において、当該第１の送信フィルタと当該第２の送信フィルタの間の一貫した電気的性能を実現するために、当該第１の送信フィルタと当該第２の送信フィルタを同一チップ（ダイまたはチップ）に統合し、または、同一基板（基板）に統合し、または、同一パッケージ（パッケージ）に統合し、または、同一モジュール（モジュール）に統合してもよい。本発明の全ての諸実施形態において、当該第１の送信フィルタと当該第２の送信フィルタが同一基板に統合されると仮定する。
【００２８】
本発明の１実施形態（実施形態１）として、分割器を適用してもよい。例えば、９０度分割器または３ｄＢ電気ブリッジにより、送信信号を第１の送信信号および位相差が９０度である第２の送信信号に分割し、当該第１の送信信号と位相差が９０度である当該第２の送信信号とをそれぞれ第１のデュプレクサと第２のデュプレクサに入力し、当該第１のデュプレクサと当該第２のデュプレクサにより出力する。当該実施形態では、分割器の構造により、当該第１のデュプレクサと当該第２のデュプレクサに入力される信号の電力は未分割の信号の電力よりも小さい（理論的には、損失に関らず、当該第１のデュプレクサと当該第２のデュプレクサに入力された信号の電力はそれぞれ未分割の信号の電力の半分である）。このように、当該第１のデュプレクサまたは当該第２のデュプレクサにおける送信フィルタの電力容量要求が軽減される。
【００２９】
同じ温度特性を保つために、当該実施形態では、当該第１のデュプレクサと当該第２のデュプレクサがシリコン・ウェハ半導体基板のような同一基板に統合してもよい。同一基板に統合された当該第１のデュプレクサと当該第２のデュプレクサが、ＦＢＡＲまたはＳＡＷであってもよく、または、ＢＡＷであってもよい。当該第１のデュプレクサは第１の送信フィルタと第１の受信フィルタを備え、当該第２のデュプレクサは第２の送信フィルタおよび第２の受信フィルタを備え、当該第１のデュプレクサと当該第２のデュプレクサの間の対称性は、当該第１の送信フィルタと当該第２の送信フィルタの間の対称性を含み、または、当該第１の送信フィルタと当該第２の送信フィルタの間の対称性を含み、当該第１の受信フィルタと当該第２の受信フィルタの間の対称性を含む。「対称性」または「対称的」の定義については、上の定義を参照されたい。即ち、当該第１の送信フィルタと当該第２の送信フィルタの間の対称性とは、当該第１の送信フィルタと当該第２の送信フィルタの間の一貫した電気的性能をいい、当該第１の受信フィルタと当該第２の受信フィルタの間の対称性とは、当該第１の受信フィルタと当該第２の受信フィルタの間の一貫した電気的性能をいう。「一貫した電気的性能」の意味には、電気的性能が完全に同一であるか、または、電気的性能の差異が干渉消去の結果に及ぼす影響が許容範囲にあることが含まれる。当該電気的性能が、送信応答遅延、位相、振幅等を含んでもよい。構造と特徴が同一であることは一貫した電気的性能のシナリオの１つである。即ち、対称シナリオには構造と特徴が同一であるシナリオが含まれる。
【００３０】
本発明の第１の実施形態では、第１のデュプレクサに入力された第１の送信信号は当該第１のデュプレクサの第１の送信フィルタから出力され、第２のデュプレクサに入力された第２の送信信号は当該第２のデュプレクサの第２の送信フィルタから出力される。その後、信号の電力またはエネルギの損失を回避するために、当該２つの送信信号（当該第１の送信信号および当該第２の送信信号）を当該第１のデュプレクサと当該第２のデュプレクサと接続された９０度結合器分割器に入力してもよい。当該信号は当該結合器分割器で結合され、結合された送信信号はアンテナ・ポートから出力される。加えて、アンテナ・ポートから受信された信号は９０度結合器分割器により分割される。分割された信号は当該第１のデュプレクサと当該第２のデュプレクサに入力されてフィルタされ、当該信号が別の９０度結合器分割器を通って受信チャネル上の他の装置に入力される。
【００３１】
本発明の別の実施形態（実施形態２）として、結合器が送信信号の一部を第１の送信信号として結合し、当該第１の送信信号を第１の受信フィルタに入力してもよい。当該第１の受信フィルタは当該第１の送信信号をフィルタし、それを第１の送信フィルタに入力し、次いで当該第１の送信フィルタが当該信号を受信チャネルに入力する。当該実施形態では、同じ温度特性を保つために、当該第１の受信フィルタ、当該第１の送信フィルタ、および当該第２の受信フィルタと当該第２の送信フィルタを備えたデュプレクサを、シリコン・ウェハ半導体基板のような同一基板に統合してもよい。当該第１の受信フィルタ、当該第１の送信フィルタ、および同一基板に統合した当該デュプレクサがＦＢＡＲもしくはＳＡＷであってもよく、または、ＢＡＷであってもよい。当該第１の送信フィルタは当該デュプレクサの当該第２の送信フィルタと対称的であるか、または、当該第１の送信フィルタは当該デュプレクサの当該第２の送信フィルタと対称的であり、当該第１の受信フィルタは当該デュプレクサの当該第２の受信フィルタと対称的である。「対称性」または「対称的」の定義については、上の定義を参照されたい。即ち、当該第１の送信フィルタと当該デュプレクサの当該第２の送信フィルタの間の対称性は当該第１の送信フィルタと当該デュプレクサの当該第２の送信フィルタの間の一貫した電気的性能をいい、当該第１の受信フィルタと当該デュプレクサの当該第２の受信フィルタの間の対称性は当該第１の受信フィルタと当該デュプレクサの当該第２の受信フィルタの間の一貫した電気的性能をいう。「一貫した電気的性能」の意味には、電気的性能が完全に同一であるか、または、電気的性能の差異が干渉消去の結果に及ぼす影響が許容範囲にあることが含まれる。電気的性能が、送信応答遅延、位相、振幅等を含んでもよい。構造と特徴が同一であることは一貫した電気的性能のシナリオの１つである。即ち、対称シナリオには構造と特徴が同一であるシナリオが含まれる。加えて、当該第１の受信フィルタ、当該第１の送信フィルタ、および当該第２の受信フィルタと当該第２の送信フィルタを備えた当該デュプレクサが同一チップ（ダイまたはチップ）に統合され、または同一パッケージ（パッケージ）に統合され、または同一モジュール（モジュール）に統合され、当該第１の送信フィルタと当該デュプレクサにおける当該第２の送信フィルタの間の一貫した電気的性能を実現するか、または、さらに、当該第１の受信フィルタと当該デュプレクサにおける当該第２の受信フィルタの間の一貫した電気的性能を実現してもよい。本発明の全ての諸実施形態において、当該第１の受信フィルタ、当該第１の送信フィルタ、および当該第２の受信フィルタと当該第２の送信フィルタを備えた当該デュプレクサは同一基板に統合されると仮定する。理解できるように、上述の「同じ温度特性を保つ」とは、フィルタの良好な対称性を実現すること、即ち、当該第１の送信フィルタと当該デュプレクサにおける当該第２の送信フィルタの間の電気的性能の良好な一貫性を実現すること、または、さらに、当該第１の受信フィルタと当該デュプレクサにおける当該第２の受信フィルタの間の電気的性能の良好な一貫性を実現することも目的とする。
【００３２】
送信信号において結合器により結合されていない信号を、（シリコン・ウェハ半導体基板のような）同一基板（基板）上の第１の送信フィルタと統合されたデュプレクサに第２の送信信号として入力してもよい。特に、当該第２の送信信号が当該デュプレクサの第２の送信フィルタに入力される。ここで、当該デュプレクサを、同一チップ（ダイまたはチップ）内の当該第１の送信フィルタと統合し、または同一パッケージ（パッケージ）に統合し、または同一モジュール（モジュール）に統合して、当該第１の送信フィルタと当該デュプレクサにおける当該第２の送信フィルタの間の一貫した電気的性能を実現してもよい。本発明の全ての諸実施形態において、当該デュプレクサと当該第１の送信フィルタは同一基板に統合されていると仮定する。
【００３３】
上の実施形態１におけるシナリオと異なり、実施形態２では、第１の送信フィルタにより出力された第１の送信信号はデュプレクサの第２の送信フィルタにより出力された第２の送信信号と結合されないが、当該第２の送信フィルタは当該第２の送信信号を当該デュプレクサと接続されたアンテナ・ポートに入力し、当該信号がアンテナを介して送出される。当該実施形態では、当該第１の送信信号は結合器により結合され、第１の送信信号の電力またはエネルギは小さく、当該第２の送信信号の電力またはエネルギは当該第１の送信信号の電力またはエネルギよりもかなり大きい。したがって、信号が結合されない場合でも、元の送信信号の電力またはエネルギでは大きな損失が生じず、または、損なわれたエネルギもしくは電力は無視できる。
【００３４】
Ｓ１０２では、第１の干渉信号と第２の干渉信号を調節して逆位相の信号を取得する。当該第１の干渉信号は、当該第１の送信信号が当該第１の送信フィルタと第１の受信フィルタを通過した後に当該第１の送信信号から受信チャネルに漏洩した信号を含み、当該第２の干渉信号は、当該第２の送信信号が当該第２の送信フィルタと第２の受信フィルタを通過した後に当該第２の送信信号から受信チャネルに漏洩した信号を含み、当該受信チャネルは受信器が信号を受信するためのチャネルである。
【００３５】
当該実施形態では、送信信号が分割器から出力されるか、または、送信信号が送信フィルタもしくは受信フィルタに結合された後に、大多数の信号は送信フィルタを通過し最終的にアンテナ・ポートから送出されるが、送信信号の一部は依然として受信フィルタを通過し受信チャネルに戻る。受信チャネルに戻る信号には、受信フィルタによりフィルタされていない送信信号だけでなく、送信信号から導出された相互変調信号も含まれる。例えば、当該実施形態では、第１の干渉信号が、第１の送信信号が第１の送信フィルタおよび第１の受信フィルタを通過した後に当該第１の送信信号から受信チャネルに漏洩した信号を含み、当該受信チャネルに漏洩した当該第１の送信信号の部分および／または当該第１の送信信号から導出された相互変調信号であってもよい。信号の経路上で、当該信号は当該第１の送信フィルタから当該第１の受信フィルタに出力され当該第１の受信フィルタから出力される。または、当該信号は当該第１の受信フィルタから出力され、（位相調整器のような）他のモジュールを通過し、当該第１の送信フィルタに入り、当該第１の送信フィルタから出力される。第２の干渉信号は、第２の送信信号が第２の送信フィルタと第２の受信フィルタを通過した後に当該第２の送信信号から受信チャネルに漏洩した信号を含み、当該受信チャネルに漏洩した当該第２の送信信号の部分および／または当該第２の送信信号から導出された相互変調信号であってもよい。信号の経路上で、当該信号は当該第２の送信フィルタから当該第２の受信フィルタに出力され、当該第２の受信フィルタから出力される。
【００３６】
第１のデュプレクサと第２のデュプレクサが（シリコン・ウェハ半導体基板のような）同一基板に統合されるステップＳ１０１に対応して、本発明の１実施形態として、当該第１のデュプレクサの第１の受信フィルタから出力された第１の干渉信号と当該第２のデュプレクサの第２の受信フィルタから出力された第２の干渉信号を９０度結合器に入力して９０度の位相シフトを行ってもよい。第１の送信フィルタは第２の送信フィルタと対称的であり、第１の送信信号の位相と第２の送信信号の位相差は９０度であり、したがって、９０度結合器が９０度の位相シフトを当該第１のデュプレクサの当該第１の受信フィルタから出力された当該第１の送信信号の部分と当該第２のデュプレクサの当該第２の受信フィルタから出力された当該第２の送信信号の部分に対して実施した後、最終的な位相差は１８０度である。即ち、これら２つは逆位相を有する。送信フィルタの帯域外フィルタ機能のため、送信フィルタは帯域外信号（即ち、送信帯域外の帯域を占有する信号）を完全にはフィルタできない。当該第１の受信フィルタから出力され、当該第１の送信信号から導出され、受信帯域と重複する帯域（即ち、受信信号が占有する帯域）を占有する相互変調信号は、当該第２の受信フィルタから出力され、当該第２の送信信号から導出され、受信帯域と重複する帯域を占有する相互変調信号と比較され、当該比較により２つの相互変調信号の位相差が９０度であることが示される。したがって、９０度結合器が９０度の位相シフトを２つの相互変調信号に対して実施した後、最終的な位相差は１８０度である。即ち、これら２つは逆位相を有する。
【００３７】
さらに、当該第１の受信フィルタが当該第２の受信フィルタと対称的であってもよい。このように、受信フィルタの帯域外フィルタ機能の不一致が克服され、干渉消去の効果が強化される。当該第１の受信フィルタが当該第２の受信フィルタと対称的であるとき、当該第１のデュプレクサの当該第１の受信フィルタから出力された当該第１の送信信号の部分と当該第２のデュプレクサの当該第２の受信フィルタから出力された当該第２の送信信号の部分の関係は、当該第１の送信フィルタが当該第２の送信フィルタと対称的であるときに適用可能な関係と同様である。即ち、９０度結合器が９０度の位相シフトを実施した後、最終的な位相差は１８０度である。即ち、これら２つは逆位相を有する。このように、当該第１の受信フィルタから出力され、当該第１の送信信号から導出され、送信帯域と重複する（かつ／または受信帯域と重複しない）帯域を占有する相互変調信号は、当該第２の受信フィルタから出力され、当該第２の送信信号から導出され、送信帯域と重複しかつ／または受信帯域と重複しない帯域を占有する相互変調信号と比較され、当該比較により２つの相互変調信号の位相差が９０度であることが示される。したがって、９０度結合器が９０度の位相シフトを当該２つの相互変調信号に対して実施した後、最終的な位相差は１８０度である、即ち、これら２つは逆位相を有する。
【００３８】
第１の受信フィルタ、第１の送信フィルタ、および第２の受信フィルタと第２の送信フィルタを備えたデュプレクサが（シリコン・ウェハ半導体基板のような）同一基板に統合されるステップＳ１０１に対応して、本発明の１実施形態として、当該第１の受信フィルタから出力された第１の干渉信号を位相調整器に入力して１８０度の位相シフトを行ってもよい。当該位相調整器が行った１８０度の位相シフトを受けた後に、当該第１の干渉信号が当該第１の送信フィルタに入力される。当該第１の送信フィルタは当該第２の送信フィルタと対称的であり、当該第１の送信フィルタから出力された信号の位相は当該位相調整器が行った１８０度の位相シフトを当該信号が受けた後に出力された当該第１の送信信号の位相と同一であり、したがって、当該第１の送信フィルタから出力された当該第１の送信信号の部分と当該第２の受信フィルタから出力された当該第２の送信信号の部分の位相差は１８０度である。即ち、これら２つは逆位相を有する。送信フィルタの帯域外フィルタ機能のため、当該送信フィルタは帯域外信号を完全にフィルタすることはできない。相互変調信号の位相は、当該第１の送信フィルタから出力され、当該第１の送信信号から導出され、受信帯域と重複する帯域（即ち、受信信号が占有する帯域）を占有し、当該位相調整器が行った１８０度の位相シフトを当該信号が受けた後に出力された当該相互変調信号の位相と同一である。したがって、当該第１の送信フィルタから出力され、当該第１の送信信号から導出され、受信帯域と重複する帯域を占有する相互変調信号は、当該第２の受信フィルタから出力され、当該第２の送信信号から導出され、受信帯域と重複する帯域を占有する相互変調信号と比較され、当該比較により位相差は１８０度であること、即ち、これら２つは逆位相を有することが示される。
【００３９】
さらに、当該第１の受信フィルタが当該第２の受信フィルタと対称的であってもよい。このように、受信フィルタの帯域外フィルタ機能の不一致が克服され、干渉消去の効果が強化される。当該第１の受信フィルタが当該第２の受信フィルタと対称的であるときに、当該第１の送信フィルタから出力された当該第１の送信信号の部分と当該第２の受信フィルタから出力された当該第２の送信信号の部分の間の関係は、当該第１の送信フィルタが当該第２の送信フィルタと対称的であるときに適用可能な関係と同様である。即ち、位相調整器が１８０度の位相シフトを実施した後、最終的な位相差は１８０度である。即ち、これら２つは逆位相を有する。相互変調信号の位相は、当該第１の送信フィルタから出力され、当該第１の送信信号から導出され、送信帯域と重複しかつ／または受信帯域と重複しない帯域を占有し、当該位相調整器が行った１８０度の位相シフトを当該信号が受けた後に出力された相互変調信号の位相と同一である。したがって、当該第１の送信フィルタから出力され、当該第１の送信信号から導出され、送信帯域と重複する（かつ／または受信帯域と重複しない）帯域を占有する相互変調信号は、当該第２の受信フィルタから出力され、当該第２の送信信号から導出され、送信帯域と重複しかつ／または受信帯域と重複しない帯域を占有する相互変調信号と比較され、当該比較により、位相差が１８０度であること、即ち、これら２つは逆位相を有することが示される。
【００４０】
干渉消去の良好な効果を達成するために当該実施形態では、第１の干渉信号の振幅を、第１の受信フィルタから出力された当該第１の干渉信号を位相調整器に入力して１８０度の位相シフトを行う前、行う間、または行った後に調節してもよい。特に、当該第１の干渉信号の振幅は当該第２の干渉信号の振幅と等しいように調節される。このように、当該位相調整器が１８０度の位相シフトを当該第１の干渉信号に対して行った後に、当該第１の干渉信号が当該第２の干渉信号と結合されると、当該２つの干渉信号が完全に消去される。Ｓ１０３では、逆位相の信号を結合する。
【００４１】
当該実施形態では、逆位相の信号を結合するステップは、当該２つの信号をそれぞれ装置に入力し、当該２つの信号を当該装置において重ね合わせるステップ、または、当該信号のうち１つを当該装置に入力して、結合器を用いて他方の信号を当該装置に結合し、当該２つの信号を当該装置において重ね合わせるステップ、または、当該信号のうち１つを当該装置に入力して、当該装置に当該信号を出力させ、当該結合器を用いて当該信号を他の信号と結合させるステップであってもよい。例えば、ステップＳ１０１で当該第１のデュプレクサと当該第２のデュプレクサが（シリコン・ウェハ半導体基板のような）同一基板に統合される場合には、９０度結合器が９０度の位相シフトを行って逆位相の信号を取得し、当該信号を９０度結合器で直接重ね合わせてもよく、それによって反対信号を結合する。ステップＳ１０１で第１の受信フィルタ、第１の送信フィルタ、および第２の受信フィルタと第２の送信フィルタを備えたデュプレクサが（シリコン・ウェハ半導体基板のような）同一基板に統合される場合には、当該第２の受信フィルタにより出力された第２の漏洩信号をＬＮＡに入力してもよく、当該第１の受信フィルタから出力された第１の漏洩信号が直接ＬＮＡと重ね合わせられ、それにより、逆位相の信号が結合され、または、当該第２の送信フィルタにより出力された第２の漏洩信号をＬＮＡに入力し、ＬＮＡにより出力して第１の受信フィルタにより出力された第１の漏洩信号に重ね合わせてもよく、それにより、逆位相の信号が結合される。
【００４２】
当該実施形態の干渉消去方法で示したように、第１の送信信号が第１の送信フィルタに入力され、第２の送信信号が第２の送信フィルタに入力され、当該第１の送信フィルタは当該第２の送信フィルタと対称的である。当該第１の送信フィルタと当該第２の送信フィルタから出力された干渉信号を逆位相の信号となるように調節してもよく、当該干渉信号が結合される。したがって、当該実施形態で提供した方法は受信チャネルに漏洩した干渉信号を消去することができ、当該受信チャネルは送信信号を効果的に抑制し、送信信号により生じた受信信号への干渉が消去される。
【００４３】
図２は、本発明の１実施形態に従う干渉消去装置の略構造図である。説明の簡単さのため、本発明の当該実施形態に関連する部分のみ示してある。図２に示す干渉消去装置はＦＤＭシステムにおける送受信器に適用可能であり、信号分割モジュール２０１、位相整合モジュール２０２、および結合モジュール２０３を備える。
【００４４】
信号分割モジュール２０１は、送信信号を第１の送信信号と第２の送信信号に分割し、当該第１の送信信号を第１の送信フィルタに入力し、当該第２の送信信号を当該第１の送信フィルタと対称な第２の送信フィルタに入力するように構成される。
【００４５】
当該実施形態では、送信信号とは、送受信器のデジタル処理ユニットから出力され、送信チャネル上のデジタル・アナログ変換器、周波数混合器、フィルタおよび増幅器のようなモジュールにより処理され、アンテナ・ポートから送信される信号をいい、受信信号とは、アンテナ・ポートから受信され、送信チャネル上の増幅器、フィルタ、周波数混合器、およびアナログ・デジタル変換器のようなモジュールにより処理され、送受信器のデジタル処理ユニットに入力される信号をいう。送信信号と受信信号はアンテナを共有する。したがって、送信信号（即ち、送信帯域）により占有される帯域は、受信信号（即ち、受信帯域）に占有される帯域と交互に生じ、または、送信器の通過帯域は受信器の阻止帯域であり、または、送信器の阻止帯域は受信器の通過帯域である。送信チャネルとは送信器が信号を送信するための一次チャネルをいい、受信チャネルとは受信器が信号を受信するための一次チャネルをいう。受信帯域は受信信号が占有する主な帯域であるので、一般に受信帯域を使用して受信チャネルを表し、または、受信チャネルが受信帯域を表すことに留意されたい。これは送信帯域と送信チャネルの関係と同じである。装置の非線形性のような要因のため、信号を送信するときに、送信信号および／または送信信号から導出した相互変調信号の一部が受信チャネルに漏洩し、受信信号で干渉が生ずることがある。干渉の抑制は、受信チャネルにより送信信号に対して行われる抑制としても知られている。
【００４６】
ＦＢＡＲまたはＳＡＷのサイズは小さいので、ＦＢＡＲまたはＳＡＷで構成された送受信器は、運用者が通信システムに課す小型要求を良く満たす。したがって、本発明の諸実施形態では、当該第１の送信フィルタと当該第２の送信フィルタはＦＢＡＲまたはＳＡＷであってもよいがこれらに限らない。ＢＡＷのような他の小型のフィルタを代わりに第１の送信フィルタおよび第２の送信フィルタとして使用してもよい。加えて、ＦＢＡＲ、ＳＡＷおよびＢＡＷはウェハ切削プロセスを使用しており、ウェハ上の２つの隣接するフィルタまたはデュプレクサを、切削を通じて同一のチップ（ダイまたはチップ）に構成してもよい。このように、２つのフィルタまたはデュプレクサの間の一貫した電気的性能を保証するのは容易である。さらに、当該第１の送信フィルタは当該第２の送信フィルタと対称的である。「対称的」の定義については、上で与えた定義を参照されたい。即ち、当該第１の送信フィルタと当該第２の送信フィルタの間の対称性とは、当該第１の送信フィルタと当該第２の送信フィルタの間の一貫した電気的性能をいう。「一貫した電気的性能」の意味には、電気的性能が完全に同一であるか、または、電気的性能の差異が干渉消去の結果に及ぼす影響が許容範囲にあることが含まれる。電気的性能が、送信応答遅延、位相、振幅等を含んでもよい。構造と特徴が同一であることは一貫した電気的性能のシナリオの１つである。即ち、対称シナリオには構造と特徴が同一であるシナリオが含まれる。
【００４７】
位相整合モジュール２０２は、第１の干渉信号と第２の干渉信号を調節して逆位相の信号を取得するように構成され、当該第１の干渉信号は、第１の送信信号が第１の送信フィルタと第１の受信フィルタを通過した後に当該第１の送信信号から受信チャネルに漏洩した信号を含み、当該第２の干渉信号は、第２の送信信号が第２の送信フィルタと第２の受信フィルタを通過した後に当該第２の送信信号から漏洩した信号を含み、当該受信チャネルは受信器が信号を受信するための一次チャネルである。
【００４８】
当該実施形態では、送信信号が分割器から出力されるか、または、送信フィルタもしくは受信フィルタに結合された後、当該信号の大部分は送信フィルタを通過し最終的にアンテナ・ポートから送出されるが、当該送信信号の一部は依然として受信フィルタを通過し受信チャネルに戻る。受信チャネルに戻る信号は受信フィルタによりフィルタされていない送信信号だけでなく、送信信号から導出された相互変調信号も含む。例えば、当該実施形態では、第１の干渉信号は第１の送信信号が第１の送信フィルタおよび第１の受信フィルタを通過した後に当該第１の送信信号から受信チャネルに漏洩した信号を含み、当該受信チャネルに漏洩した当該第１の送信信号の部分および／または当該第１の送信信号から導出された相互変調信号であってもよい。信号の経路上で、当該信号は当該第１の送信フィルタから当該第１の受信フィルタに出力され、次いで当該第１の受信フィルタから出力され、または、当該信号は当該第１の受信フィルタから出力され、（位相調整器のような）他のモジュールを通過し、当該第１の送信フィルタに入り、当該第１の送信フィルタから出力される。第２の漏洩信号は、第２の送信信号が第２の送信フィルタと第２の受信フィルタを通過した後に当該第２の送信信号から受信チャネルに漏洩した信号を含み、当該受信チャネルに漏洩した当該第２の送信信号の部分および／または当該第２の送信信号から導出された相互変調信号であってもよい。信号の経路上で、当該信号は当該第２の送信フィルタから当該第２の受信フィルタに出力され、当該第２の受信フィルタから出力される。
【００４９】
結合モジュール２０３は、逆位相の当該信号を結合するように構成される。上述の干渉消去装置の実施形態では、機能モジュールの配置は例示の目的のためにすぎない。実際の適用では、ハードウェア構成要求またはソフトウェア実装の都合のような要求に応じて、前述の機能を異なる機能モジュールで実装してもよい。即ち、干渉消去装置の内部構造を異なる機能モジュールに分割して、上述の機能の全部または一部を実施する。さらに、実際の適用では、当該実施形態の対応する機能モジュールが、対応するハードウェアであってもよく、または、当該ハードウェアにより実行される対応するソフトウェアであってもよい。例えば、当該信号分割モジュールが、送信信号を第１の送信信号と第２の送信信号に分割し当該信号を第１の送信フィルタおよび当該第１の送信フィルタと対称な第２の送信フィルタに入力できる信号分割器のようなハードウェア、または、かかる機能を実装するための対応するコンピュータ・プログラムを実行できる汎用プロセッサ、または、他のハードウェア装置であってもよい。当該位相整合モジュールは、第１の干渉信号と第２の干渉信号を調節して信号の逆位相を生成できる位相調整器のようなハードウェア、または、かかる機能を実装するための対応するコンピュータ・プログラムを実行できる汎用プロセッサ、または、別のハードウェア装置であってもよい（本明細書で説明した原理は本発明の全ての実施形態に適用可能である）。
【００５０】
特に、図２に示す信号分割モジュール２０１が分割器であってもよく、または、９０度分割器または３ｄＢブリッジのような分割器を備えてもよい。位相整合モジュール２０２は特に９０度結合器であり、または、９０度結合器を備える。図３に示すように、本発明の別の実施形態で提供する干渉消去装置は、分割器３０１、第１の９０度結合器３０２、第１のデュプレクサ３０３、第２のデュプレクサ３０４、および第２の９０度結合器３０５を備える。第１のデュプレクサ３０３と第２のデュプレクサ３０４は第２の９０度結合器３０５と接続され、第２の９０度結合器３０５はアンテナ３０６と接続される。
【００５１】
同じ温度特性を保つために、当該実施形態では、第１のデュプレクサ３０３と第２のデュプレクサ３０４をシリコン・ウェハ半導体基板のような同一基板に統合してもよい。同一基板に統合された第１のデュプレクサ３０３と第２のデュプレクサ３０４がＦＢＡＲもしくはＳＡＷであってもよく、または、ＢＡＷであってもよい。第１のデュプレクサ３０３は第１の受信フィルタ３０３１と第１の送信フィルタ３０３２を備え、第２のデュプレクサ３０４は第２の受信フィルタ３０４１と第２の送信フィルタ３０４２を備える。第１のデュプレクサ３０３と第２のデュプレクサ３０４の間の対称性は第１の送信フィルタ３０３２と第２の送信フィルタ３０４２の間の対称性を含み、または、第１の送信フィルタ３０３２と第２の送信フィルタ３０４２の間の対称性および第１の受信フィルタ３０３１と第２の受信フィルタ３０４１の間の対称性を含む。「対称性」または「対称的」の定義については、上の定義を参照されたい。即ち、当該第１の送信フィルタと当該第２の送信フィルタの間の対称性とは当該第１の送信フィルタと当該第２の送信フィルタの間の一貫した電気的性能をいい、当該第１の受信フィルタと当該第２の受信フィルタの間の対称性とは当該第１の受信フィルタと当該第２の受信フィルタの間の一貫した電気的性能をいう。「一貫した電気的性能」の意味には、電気的性能が完全に同一であるか、または、電気的性能の差異が干渉消去の結果に及ぼす影響が許容範囲にあることが含まれる。電気的性能が、送信応答遅延、位相、振幅等を含んでもよい。構造と特徴が同一であることは一貫した電気的性能のシナリオの１つである。即ち、対称シナリオには構造と特徴が同一であるシナリオが含まれる。
【００５２】
図３に示す干渉消去装置では、送信信号は送受信器のデジタル処理ユニット、デジタル・アナログ変換器、周波数混合器、フィルタ３０７、および増幅器のような装置を通過し、分割器３０１に入る。分割器３０１で、送信信号は位相差が９０度である２つの信号、例えば、位相が９０度（または０度）である第１の送信信号と位相が１８０度（または０度）である第２の信号に分割される。各送信信号は当該送信信号だけでなく、相互変調信号も含む。相互変調信号は、増幅器３０７のような装置の非線形性により送信信号から導出される。当該第１の送信信号は第１のデュプレクサ３０３に入力され、当該第２の送信信号は第２のデュプレクサ３０４に入力される。第１の送信信号が第１のデュプレクサ３０３に入力された後、信号の大部分は第１の送信フィルタ３０３２を通過し第１のデュプレクサ３０３と接続された第２の９０度結合器３０５に入力されるが、（当該第１の送信信号の部分および当該第１の送信信号から導出された相互変調信号を含む）信号の部分は依然として第１の受信フィルタ３０３１と第１の９０度結合器３０２を通過し、受信チャネルに漏洩する。かかる信号は、以下の経路を通る第１の干渉信号である。即ち、当該信号は第１の送信フィルタ３０３２から第１の受信フィルタ３０３１に出力され、第１の受信フィルタ３０３１から第１の９０度結合器３０２に出力される。図３の点線は干渉信号の経路を示す。同様に、第２の送信信号が第２のデュプレクサ３０４に入力された後、当該信号の大部分は当該第２のデュプレクサの第２の送信フィルタ３０４２を通過し第２のデュプレクサ３０４と接続された第２の９０度結合器３０５に入力されるが、（当該第２の送信信号の部分および当該第２の送信信号から導出された相互変調信号を含む）当該信号の部分は依然として第２の受信フィルタ３０４１と第１の９０度結合器３０２を通過し、受信チャネルに漏洩する。かかる信号は、以下の経路を通る第２の干渉信号である。即ち、当該信号は第２の送信フィルタ３０４２から第２の受信フィルタ３０４１に出力され、第２の受信フィルタ３０４１から第１の９０度結合器３０２に出力される。図３の点線は干渉信号の経路を示す。受信チャネルに漏洩した干渉信号が消去されない場合には、当該干渉信号は、第１の受信フィルタ３０３１と第２の受信フィルタ３０４１から送信された受信信号に対する干渉をもたらす。
【００５３】
図３に示す干渉消去装置では、第２の９０度結合器３０５が第１の送信フィルタ３０３２により出力された第１の送信信号と第２の送信フィルタ３０４２により出力された当該第２の送信信号に対して９０度結合を実施し、結合した信号を当該結合器と接続されたアンテナ３０６から出力する。このように、送信信号の電力またはエネルギは殆ど失われない。
【００５４】
理解できるように、信号を受信した時点で、第２の９０度結合器３０５が受信信号に対して９０度分割を実施し、分割した信号をそれぞれ第１のデュプレクサ３０３と第２のデュプレクサ３０４に入力する。第１の送信フィルタ３０３２と第２の送信フィルタ３０４２のフィルタ効果（送信フィルタの阻止帯域が受信フィルタの通過帯域と重複する）により、第２の９０度結合器３０５から出力された受信信号がそれぞれ、第１の送信フィルタ３０３２と第２の送信フィルタ３０４２から入力されて第１の９０度結合器３０２から送信チャネルに出力されるのではなく、第１の受信フィルタ３０３１および第２の受信フィルタ３０４１から入力され、第１の９０度結合器３０２から受信チャネルに出力される。
【００５５】
第１の受信フィルタ３０３１から出力された第１の干渉信号と第２の受信フィルタ３０４１から出力された第２の干渉信号は９０度結合器３０２で９０度の位相シフトを受けて、低雑音増幅器３０７に入力される。第１の送信フィルタ３０３２は第２の送信フィルタ３０４２と対称的であり、当該信号が分割器３０１を通過した後、当該第１の送信信号の位相と当該第２の送信信号の位相の差は９０度である。したがって、９０度結合器３０２が９０度の位相シフトを、第１の受信フィルタ３０３１から出力された当該第１の送信信号の部分と第２の受信フィルタ３０４１から出力された当該第２の送信信号の部分に対して実施した後、かつ、信号が低雑音増幅器３０７に入力される前に、位相差は１８０度である。即ち、これら２つは逆位相を有する。即ち、当該２つの信号が消去されるか、または、基本的に９０度結合器３０２で結合されているときに当該２つの信号が消去され、受信チャネル上の受信信号に干渉は生じない。送信フィルタの帯域外フィルタ機能のため、当該送信フィルタは帯域外信号を完全にフィルタすることはできない。第１の受信フィルタ３０３１から出力され、当該第１の送信信号から導出され、受信帯域と重複する帯域（即ち、受信信号が占有する帯域）を占有する相互変調信号は、第２の受信フィルタ３０４１から出力され、当該第２の送信信号から導出され、受信帯域と重複する帯域を占有する相互変調信号と比較され、当該比較により２つの相互変調信号の位相差が９０度であることが示される。したがって、９０度結合器３０２が９０度の位相シフトを２つの相互変調信号に対して実施した後、最終的な位相差は１８０度である。即ち、これら２つは逆位相を有する。
【００５６】
さらに、第１の受信フィルタ３０３１が第２の受信フィルタ３０４１と対称的であってもよい。このように、受信フィルタの帯域外フィルタ機能の不一致が克服され、干渉消去の効果が強化される。第１の受信フィルタ３０３１が第２の受信フィルタ３０４１と対称的であるとき、第１のデュプレクサ３０３の第１の受信フィルタ３０３１から出力された第１の送信信号の部分と第２のデュプレクサ３０４の第２の受信フィルタ３０４１から出力された第２の送信信号の部分との関係は、第１の送信フィルタ３０３２が第２の送信フィルタ３０４２と対称的であるときの関係と同様である。即ち、９０度結合器３０２が９０度の位相シフトを実施した後、最終的な位相差は１８０度である。即ち、これら２つは逆位相を有する。第１の受信フィルタ３０３１から出力され、当該第１の送信信号から導出され、送信帯域と重複する（かつ／または受信帯域と重複しない）帯域を占有する相互変調信号は、第２の受信フィルタ３０４１から出力され、当該第２の送信信号から導出され、送信帯域と重複しかつ／または受信帯域と重複しない帯域を占有する相互変調信号と比較され、当該比較により２つの相互変調信号の位相差は９０度であることが示される。したがって、９０度結合器３０２が９０度の位相シフトを２つの相互変調信号に対して実施した後、最終的な位相差は１８０度である、即ち、これら２つは逆位相を有する。
【００５７】
特に、図２に示す信号分割モジュール２０１は結合器であってもよく、または、結合器を備えてもよい。位相整合モジュール２０２は特に位相調整器であるか、または、位相調整器を備える。図４Ａに示すように、本発明の別の実施形態で提供する干渉消去装置は、第１の受信フィルタ４０１、第１の送信フィルタ４０２、デュプレクサ４０３、位相調整器４０４、第１の結合器４０７、第２の結合器４０８、増幅器４０９等を備える。デュプレクサ４０３は、アンテナ４０５と接続され、第１の送信フィルタ４０２はアンテナ４０５と接続されない。デュプレクサ４０３は、第２の受信フィルタ４０３１と第２の送信フィルタ４０３２を備える。同じ温度特性を保つために、当該実施形態では、第１の受信フィルタ４０１、第１の送信フィルタ４０２、およびデュプレクサ４０３をシリコン・ウェハ半導体基板のような同一基板に統合してもよい。第１の受信フィルタ４０１、第１の送信フィルタ４０２、およびデュプレクサ４０３は同一基板に統合されるが、ＦＢＡＲもしくはＳＡＷであってもよく、または、ＢＡＷであってもよい。第１の送信フィルタ４０２はデュプレクサ４０３の第２の送信フィルタ４０３２と対称的であるか、または、第１の送信フィルタ４０２はデュプレクサ４０３の第２の送信フィルタ４０３２と対称的であり、第１の受信フィルタ４０１はデュプレクサ４０３の第２の受信フィルタ４０３１と対称的である。「対称性」または「対称的」の定義については、上の定義を参照されたい。即ち、当該第１の送信フィルタと当該デュプレクサの当該第２の送信フィルタの間の対称性とは当該第１の送信フィルタと当該デュプレクサの当該第２の送信フィルタの間の一貫した電気的性能をいい、当該第１の受信フィルタと当該デュプレクサの当該第２の受信フィルタの間の対称性とは当該第１の受信フィルタと当該デュプレクサの当該第２の受信フィルタの間の一貫した電気的性能をいう。「一貫した電気的性能」の意味には、電気的性能が完全に同一であるか、または、電気的性能の差異が干渉消去の結果に及ぼす影響が許容範囲にあることが含まれる。電気的性能が、送信応答遅延、位相、振幅等を含んでもよい。構造と特徴が同一であることは一貫した電気的性能のシナリオの１つである。即ち、対称シナリオには構造と特徴が同一であるシナリオが含まれる。
【００５８】
第１の結合器４０７が増幅器からの送信信号の一部を結合し、当該信号を第１の送信信号として第１の受信フィルタ４０１に入力し、第１の受信フィルタ４０１が当該第１の送信信号をフィルタし、当該第１の送信信号を位相調整器４０４に入力し、最終的に、位相調整器４０４が１８０度の位相調整を当該信号に対して行い、当該信号を第１の送信フィルタ４０２に入力する。当該第１の送信信号は第１の受信フィルタ４０１によりフィルタされるが、当該第１の送信信号の部分および当該第１の送信信号から導出された相互変調信号は依然として第１の受信フィルタ４０１によりフィルタされていない。フィルタされていない信号が第１の干渉信号を形成する。当該第１の干渉信号は第１の受信フィルタ４０１から位相調整器４０４へ出力され、次いで第１の送信フィルタ４０２に入力され、最終的に第１の送信フィルタ４０２から出力される。図４Ａの点線は漏洩した干渉信号の経路を示す。
【００５９】
送信信号における第１の結合器４０７により結合されていない部分、即ち、第１の結合器４０７により結合されていない送信信号は第２の送信信号としてデュプレクサ４０３に出力される。デュプレクサ４０３の第２の送信フィルタ４０３２は当該第２の送信信号の大部分をアンテナ４０５に送信でき、次いでアンテナ４０５が当該信号を送信するが、当該第２の送信信号の部分と当該第２の送信信号から導出された相互変調信号は依然として第２の受信フィルタ４０３１によりフィルタされず、受信チャネルに漏洩する。フィルタされていない当該信号が第２の干渉信号を形成する。当該第２の干渉信号は第２の受信フィルタ４０３１から第２の送信フィルタ４０３２に出力され、最終的に第２の送信フィルタ４０３２から出力される。図４Ａの点線は漏洩した干渉信号の経路を示す。
【００６０】
図３に示す干渉消去装置と異なり、図４Ａに示す干渉消去装置では、送信信号が増幅器４１０から出力された後、送信信号の大部分は当該デュプレクサの第２の送信フィルタ４０３２に入力され、結合器４０７が非常に小さな送信信号の一部のみを結合し、それを第１の受信フィルタ４０１に入力する。第１の受信フィルタ４０１から出力された当該第１の送信信号は結合器により結合され、その電力またはエネルギは小さい。第２の送信フィルタ４０３２により出力された当該第２の送信信号の電力またはエネルギは当該第１の送信信号の電力またはエネルギよりもかなり大きい。したがって、図３の消去装置が第２の送信フィルタ４０３２により出力された第２の送信信号を第１の送信フィルタ４０２により出力された第１の送信信号と結合しなかったとしても、増幅器４１０により出力された送信信号の電力またはエネルギは大幅に失われず、または、損なわれたエネルギまたは電力は無視できる。
【００６１】
理解できるように、信号を受信した時点で、アンテナ４０５から受信した信号がデュプレクサ４０３に入力された後、第２の送信フィルタ４０３２のフィルタ効果（送信フィルタの阻止帯域が基本的に受信フィルタの通過帯域と重複する）により、第２の送信フィルタ４０３２から入力され増幅器４１０により送信チャネルに出力されるのではなく、受信信号が第２の受信フィルタ４０３１から入力されて低雑音増幅器４０６により受信チャネルに出力される。
【００６２】
当該第１の干渉信号は位相調整器４０４により行われた１８０度の位相シフトを受け、次いで第１の送信フィルタ４０２に入力される。第１の送信フィルタ４０２は第２の送信フィルタ４０３２と対称的であり、第１の送信フィルタ４０２から出力された信号の位相は、１８０度の位相シフトの後に位相調整器４０４により出力された第１の送信信号の位相とと同一であり、したがって、第１の送信フィルタ４０２から出力された当該第１の送信信号の部分と第２の受信フィルタ４０３１から出力された当該第２の送信信号の部分の位相差は１８０度である。即ち、これら２つは逆位相を有する。送信フィルタの帯域外フィルタ機能のため、送信フィルタは帯域外信号を完全にフィルタすることはできない。相互変調信号の位相は、第１の送信フィルタ４０２から出力され、当該第１の送信信号から導出され、受信帯域と重複する帯域（即ち、受信信号が占有する帯域）を占有し、１８０度の位相シフトの後に位相調整器４０４により出力された当該相互変調信号の位相と同一である。したがって、第１の送信フィルタ４０２から出力され、当該第１の送信信号から導出され、受信帯域と重複する帯域を占有する相互変調信号は、第２の受信フィルタ４０３１から出力され、当該第２の送信信号から導出され、受信帯域と重複する帯域を占有する相互変調信号と比較され、当該比較により、位相差は１８０度であること、即ち、これら２つは逆位相を有することが示される。
【００６３】
さらに、第１の受信フィルタ４０１が第２の受信フィルタ４０４１と対称的であってもよい。このように、受信フィルタの帯域外フィルタ機能の不一致が克服され、干渉消去の効果が強化される。第１の受信フィルタ４０１が第２の受信フィルタ４０３１と対称的であるときには、第１の送信フィルタ４０２から出力された第１の送信信号の部分と第２の受信フィルタ４０３１から出力された第２の送信信号の部分の間の関係は、第１の送信フィルタ４０２が第２の送信フィルタ４０３２と対称的であるときに適用可能な関係と同様である。即ち、当該位相調整器が１８０度の位相シフトを行った後、最終的な位相差は１８０度である。即ち、これら２つは逆位相を有する。相互変調信号の位相は、第１の送信フィルタ４０２から出力され、当該第１の送信信号から導出され、送信帯域と重複する（かつ／または受信帯域と重複しない）帯域を占有し、当該位相調整器が行った１８０度の位相シフトを当該信号が受けた後に出力される相互変調信号の位相と同一である。したがって、第１の送信フィルタ４０２から出力され、当該当該第１の送信信号から導出され、送信帯域と重複する（かつ／または受信帯域と重複しない）帯域を占有する相互変調信号は、第２の受信フィルタ４０３１から出力され、当該第２の送信信号から導出され、送信帯域と重複する（かつ／または受信帯域と重複しない）帯域を占有する相互変調信号と比較され、当該比較により、位相差は１８０度であること、即ち、これら２つは逆位相を有することが示される。
【００６４】
２つの逆位相の信号に対して、図４Ａに示す干渉消去装置により、第２の受信フィルタ４０３１により出力された第２の干渉信号と第１の送信フィルタ４０２から第２の結合器４０８により結合された当該第１の干渉信号が低雑音増幅器４０６に入力され、次いで低雑音増幅器４０６が当該信号を直接重ね合せ、それにより逆位相の信号を結合する。あるいは、図４Ｂに示す干渉消去装置により、第２の受信フィルタ４０３１により出力された第２の干渉信号が低雑音増幅器４０６に入力され、次いで当該信号が低雑音増幅器４０６により出力され、第１の送信フィルタ４０２から出力された第１の干渉信号と第２の結合器４０８により結合され、それにより逆位相の信号が結合される。逆位相の信号を結合することは、当該２つの信号が消去されるかまたは基本的に消去され、受信チャネル上の受信信号に干渉が生じないこと、即ち、送信側により受信側に対して実施される抑制が削減されることを意味する。
【００６５】
干渉消去の良好な効果を達成するために、第１の干渉信号の振幅を、第１の受信フィルタ４０１から出力された当該第１の干渉信号を位相調整器４０４に入力して１８０度の位相シフトを行う前、行う時、または行った後に調整してもよい。特に、当該第１の干渉信号の振幅は当該第２の干渉信号の振幅と等しいように調節される。即ち、図２に示す位相整合モジュール２０２は振幅位相調整器であってもよく、当該調整器は振幅調整器５０１を備える。図５Ａまたは図５Ｂは本発明の別の実施形態で提供する干渉消去装置を示す。振幅調整器５０１は位相調整器４０４または第１の受信フィルタ４０１と接続され、当該第１の干渉信号の当該振幅が当該第２の干渉信号の振幅と等しいように当該第１の干渉信号の振幅を調整するように構成される。このように、位相調整器４０４が１８０度の位相シフトを当該第１の干渉信号に対して実施した後に、当該第１の干渉信号が当該第２の干渉信号と結合された場合には、当該２つの干渉信号は完全に消去される。
【００６６】
本発明の別の実施形態では、位相整合モジュール２０２は、図６Ａまたは図６Ｂの干渉消去装置で示すように、位相調節ユニット６０１と振幅調節ユニット６０２を備える。位相調節ユニット６０１は、第１の受信フィルタ４０１により出力された第１の干渉信号に対して１８０度の位相シフトを実施し、当該信号を振幅調節ユニット６０２に入力するように構成される。振幅調節ユニット６０２は、当該第１の干渉信号の振幅が当該第２の干渉信号の振幅と等しいように当該第１の干渉信号の振幅を調節するように構成される。振幅調節ユニット６０２は、振幅調節を行った第１の干渉信号を第１の送信フィルタ４０２に入力する。または、振幅調節ユニット６０２は、当該第１の干渉信号の振幅が第２の受信フィルタ４０２により出力された第２の干渉信号の振幅と等しいように、第１の受信フィルタ４０１により出力された当該第１の干渉信号の振幅を調節するように構成される。振幅調節ユニット６０２は、振幅調節を行った第１の干渉信号を位相調節ユニット６０１に出力し、位相調節ユニット６０１は振幅調節ユニット６０２により出力された第１の干渉信号に対して１８０度の位相シフトを行い、当該信号を第１の送信フィルタ４０２に入力する。このように、当該第１の干渉信号と当該第２の干渉信号が、振幅が等しく逆位相の当該２つの干渉信号を結合した後に、完全に消去される。
【００６７】
さらに、基地局が本発明の１実施形態で提供される。当該基地局が、図２乃至図６Ｂで示した任意の実施形態で提供した干渉消去装置を備えてもよい。さらに、例えばＦＤＭシステムのような通信システムを本発明の１実施形態で提供する。当該通信システムが本発明の１実施形態で提供する基地局を備えてもよい。
【００６８】
図７は、本発明の１実施形態に従うフィルタ（フィルタ装置）の略構造図である。説明の簡単さのため、本発明の当該実施形態に関連する部分のみを示してある。図７に示すフィルタは、第１のデュプレクサ７０１および第１のデュプレクサ７０１と対称的な第２のデュプレクサ７０２を備える。図８は、本発明の別の実施形態で提供するフィルタを示す。図７に示す第１のデュプレクサはさらに、第１の受信フィルタ８０１と第１の送信フィルタ８０２を備える。第２のデュプレクサ７０２は、第２の受信フィルタ８０３と第２の送信フィルタ８０４を備える。第１の送信フィルタ８０２は第２の送信フィルタ８０４と対称的であり、または、第１の受信フィルタ８０１は第２の受信フィルタ８０３と対称的であり、第１の送信フィルタ８０２は第２の送信フィルタ８０４と対称的である。「対称性」または「対称的」の定義については、上の定義を参照されたい。即ち、当該第１の送信フィルタと当該第２の送信フィルタの間の対称性とは当該第１の送信フィルタと当該第２の送信フィルタの間の一貫した電気的性能をいい、当該第１の受信フィルタと当該第２の受信フィルタの間の対称性とは当該第１の受信フィルタと当該第２の受信フィルタの間の一貫した電気的性能をいう。「一貫した電気的性能」の意味には、電気的性能が完全に同一であるか、または、電気的性能の差異が干渉消去の結果に及ぼす影響が許容範囲にあることが含まれる。電気的性能が、送信応答遅延、位相、振幅等を含んでもよい。構造と特徴が同一であることは一貫した電気的性能のシナリオの１つである。即ち、対称シナリオには構造と特徴が同一であるシナリオが含まれる。
【００６９】
同じ温度特性を保つために、図７または図８に示した第１のデュプレクサ７０１および第２のデュプレクサ７０２をシリコン・ウェハ半導体基板のような同一基板に統合してもよい。加えて、当該第１のデュプレクサと当該第２のデュプレクサが同一チップ（ダイまたはチップ）に統合され、または同一パッケージ（パッケージ）に統合され、または同一モジュール（モジュール）に統合されて、当該第１のデュプレクサの第１の送信フィルタと当該第２のデュプレクサの第２の送信フィルタの間の一貫した電気的性能を実現し、または、さらに、当該第１のデュプレクサの第１の受信フィルタと当該第２のデュプレクサの第２の受信フィルタの間の一貫した電気的性能を実現してもよい。本発明の全ての諸実施形態において、当該第１の送信フィルタと当該第２の送信フィルタが同一基板に統合されると仮定する。理解できるように、上述の「同じ温度特性を保つ」とは、フィルタの良好な対称性を実現する、即ち、当該第１の送信フィルタと当該第２の送信フィルタの間の電気的性能の良好な一貫性を実現すること、または、さらに、当該第１の受信フィルタと当該第２の受信フィルタの間の電気的性能の良好な一貫性を実現することも目的とする。あるいは、当該フィルタ装置において、当該第１の送信フィルタと当該第２の送信フィルタは同一チップに統合されるか、または、同一基板に統合されるか、または、同一パッケージに統合されるか、または、同一モジュールに統合される。
【００７０】
図９は、本発明の１実施形態に従うフィルタ（フィルタ装置）の略構造図である。説明の簡単さのため、本発明の当該実施形態に関連する部分のみを示してある。図９に示すフィルタは、第１の受信フィルタ９０１、第１の送信フィルタ９０２、およびデュプレクサ９０３を備える。デュプレクサ９０３は第２の受信フィルタ９０３１と第２の送信フィルタ９０３２を備える。第１の送信フィルタ９０２は第２の送信フィルタ９０３２と対称的であり、または、第１の受信フィルタ９０１が第２の受信フィルタ９０３１と対称的であり第１の送信フィルタ９０２が第２の送信フィルタ９０３２と対称的である。「対称性」または「対称的」の定義については、上の定義を参照されたい。即ち、当該第１の送信フィルタと当該第２の送信フィルタの間の対称性とは、当該第１の送信フィルタと当該第２の送信フィルタの間の一貫した電気的性能をいい、当該第１の受信フィルタと当該第２の受信フィルタの間の対称性とは、当該第１の受信フィルタと当該第２の受信フィルタの間の一貫した電気的性能をいう。「一貫した電気的性能」の意味には、電気的性能が完全に同一であるか、または、電気的性能の差異が干渉消去の結果に及ぼす影響が許容範囲にあることが含まれる。電気的性能が、送信応答遅延、位相、振幅等を含んでもよい。構造と特徴が同一であることは一貫した電気的性能のシナリオの１つである。即ち、対称シナリオには構造と特徴が同一であるシナリオが含まれる。
【００７１】
同じ温度特性を保つために、図９に示す第１の受信フィルタ９０１、第１の送信フィルタ９０２、およびデュプレクサ９０３をシリコン・ウェハ半導体基板のような同一基板に統合してもよい。加えて、当該第１の受信フィルタ、当該第１の送信フィルタ、および第２の受信フィルタと第２の送信フィルタを備えた当該デュプレクサの間の対称性を同一チップ（ダイまたはチップ）に統合し、または同一パッケージ（パッケージ）に統合し、または同一モジュール（モジュール）に統合して、当該第１の送信フィルタと当該デュプレクサにおける当該第２の送信フィルタの間の一貫した電気的性能を実現し、または、さらに、当該第１の受信フィルタと当該デュプレクサにおける当該第２の受信フィルタの間の一貫した電気的性能を実現してもよい。本発明の全ての諸実施形態において、当該第１の送信フィルタと当該第２の送信フィルタは同一基板に統合されると仮定する。理解できるように、上述の「同じ温度特性を保つ」ことは、フィルタの良好な対称性を実現すること、即ち、当該第１の送信フィルタと当該デュプレクサにおける当該第２の送信フィルタの間の電気的性能の良好な一貫性を実現すること、または、さらに、当該第１の受信フィルタと当該デュプレクサにおける当該第２の受信フィルタの間の電気的性能の良好な一貫性を実現することも目的とする。あるいは、当該フィルタ装置において、当該デュプレクサの当該第２の送信フィルタと当該第１の送信フィルタは同一チップに統合されるか、または、同一基板に統合されるか、または、同一パッケージに統合されるか、または、同一モジュールに統合される。
【００７２】
さらに、フィルタ装置が本発明の１実施形態で提供される。当該フィルタ装置は第１の送信フィルタと第２の送信フィルタを備える。当該第１の送信フィルタは当該第２の送信フィルタと対称的である。さらに、当該第１の送信フィルタと当該第２の送信フィルタを同一チップ（ダイまたはチップ）に統合し、または、同一基板（基板）に統合し、または、同一パッケージ（パッケージ）に統合し、または、同一モジュール（モジュール）に統合して、当該第１の送信フィルタと当該第２の送信フィルタの間の一貫した電気的性能を実現してもよい。
【００７３】
さらに、フィルタ装置が本発明の１実施形態で提供される。当該フィルタ装置は第１の受信フィルタと第２の受信フィルタを備える。当該第１の受信フィルタは当該第２の受信フィルタと対称的である。さらに、当該第１の受信フィルタと当該第２の受信フィルタを同一チップ（ダイまたはチップ）に統合するか、または、同一基板（基板）に統合するか、または、同一パッケージ（パッケージ）に統合するか、または、同一モジュール（モジュール）に統合して、当該第１の受信フィルタと当該第２の受信フィルタの間の一貫した電気的性能を実現してもよい。
【００７４】
さらに、フィルタ装置が本発明の１実施形態で提供される。当該フィルタ装置は第１の送信フィルタと第２の送信フィルタを備える。当該第１の送信フィルタと当該第２の送信フィルタは同一チップに統合されるか、または、同一基板に統合されるか、または、同一パッケージに統合されるか、または、同一モジュールに統合される。
【００７５】
さらに、フィルタ装置が本発明の１実施形態で提供される。当該フィルタ装置は第１の受信フィルタと第２の受信フィルタを備える。当該第１の受信フィルタと当該第２の受信フィルタは同一チップに統合されるか、または、同一基板に統合されるか、または、同一パッケージに統合されるか、または、同一モジュールに統合される。
【００７６】
さらに、フィルタ装置が本発明の１実施形態で提供される。当該フィルタ装置は第１のデュプレクサと第２のデュプレクサを備える。当該第１のデュプレクサと当該第２のデュプレクサは同一チップに統合されるか、または、同一基板に統合されるか、または、同一パッケージに統合されるか、または、同一モジュールに統合される。
【００７７】
さらに、フィルタ装置が本発明の１実施形態で提供される。当該フィルタ装置は第１の受信フィルタ、第１の送信フィルタ、およびデュプレクサを備える。当該デュプレクサ、当該第１の受信フィルタ、および当該第１の送信フィルタは同一チップに統合されるか、または、同一基板に統合されるか、または、同一パッケージに統合されるか、または、同一モジュールに統合される。
【００７８】
理解できるように、以上の本発明の諸実施形態では、送信信号とは送受信器のデジタル処理ユニットから出力され、送信チャネル上のデジタル・アナログ変換器、周波数混合器、フィルタおよび増幅器のようなモジュールにより処理され、アンテナ・ポートから送信される信号をいい、受信信号とは、アンテナ・ポートから受信され、送信チャネル上の増幅器、フィルタ、周波数混合器、およびアナログ・デジタル変換器のようなモジュールにより処理され、送受信器のデジタル処理ユニットに入力される信号をいう。しかし、本発明の諸実施形態における送信信号はアンテナ・ポートでの送信信号に限定されず、送信チャネル内の任意の位置の信号、例えば、増幅器の前の信号であってもよい。それにも関わらず、干渉消去の良好な効果を達成するために、結合された送信信号（第１の送信信号）が第１の送信フィルタに入力される前に、当該第１の送信信号が、結合されていない送信信号（第２の送信信号）が通過するのと同じ装置を通過してもよい。即ち、同一の経路に沿って移動してもよい。このように、干渉を消去するために多くの装置を追加する必要があるが、同様な効果が達成される。しかし、コストを考えると、装置が信号の処理または干渉消去の良好な効果の達成においてあまり有効でない場合には、当該第１の送信信号が当該第１の送信フィルタに入力される前に存在する経路において当該装置を省略してもよい。加えて、２つの干渉信号を結合する位置は上述の実施形態で説明したアンテナ・ポートに限定されず、受信チャネル内の任意の位置であってもよい。それにも関わらず、干渉消去の良好な効果を達成するために、結合された送信信号（第１の送信信号）が（当該第１のデュプレクサ、または当該第１の受信フィルタおよび当該第１の送信フィルタのような）干渉消去フィルタ・ユニットから出力された後（出力信号は第１の干渉信号である）、当該第１の干渉信号を、結合されていない送信信号（第２の送信信号）を処理するのと同じ受信チャネル内の装置により処理し、第２のデュプレクサにより出力し（出力信号は第２の干渉信号である）、次いで当該第２の干渉信号を結合する。しかし、コストを考えると、装置が信号の処理または干渉消去の良好な効果の達成においてあまり有効でない場合には、当該第１の干渉信号と当該第２の干渉信号が結合される前に存在する経路において当該装置を省略してもよい。かかる変形は本発明の実施または保護に影響を与えるものではない。
【００７９】
上述の装置内のモジュール／ユニットの間の情報交換ならびに実装プロセスに関して、それらは本発明の方法の実施形態と同じ概念に基づいており、当該方法の実施形態と同じ技術的効果をもたらすので、ここではさらに繰り返し説明することはしない。詳細については、上述の方法の実施形態における説明を参照されたい。
【００８０】
以上の本発明の諸実施形態における様々な方法の全部または一部、例えば、送信信号を第１の送信信号と第２の送信信号に分割し、当該第１の送信信号を第１の送信フィルタに入力し当該第２の送信信号を当該第１の送信フィルタと対称な第２の送信フィルタに入力するステップと、第１の干渉信号と第２の干渉信号を調節して逆位相の信号を取得するステップであって、当該第１の干渉信号が、当該第１の送信信号が当該第１の送信フィルタと第１の受信フィルタを通過した後に当該第１の送信信号から受信チャネルに漏洩した信号を含み、当該第２の干渉信号が、当該第２の送信信号が当該第２の送信フィルタと第２の受信フィルタを通過した後に当該第２の送信信号から受信チャネルに漏洩した信号を含み、当該受信チャネルは受信器が信号を受信するためのチャネルであるステップと、逆位相の当該信号を結合するステップを含む方法の１つまたは一部または全部を、関連するハードウェアに指示するプログラムにより実装してもよいことは当業者に理解される。
【００８１】
本発明の方法の諸実施形態のステップの全部または一部を関連するハードウェアに指示するプログラムにより実装してもよいことは当業者には理解される。当該プログラムをコンピュータ可読記憶媒体に格納してもよい。当該記憶媒体は、読取専用メモリ（ＲＯＭ、Ｒｅａｄ  Ｏｎｌｙ  Ｍｅｍｏｒｙ）、ランダム・アクセス・メモリ（ＲＡＭ、Ｒおよびｏｍ  Ａｃｃｅｓｓ  Ｍｅｍｏｒｙ）、磁気ディスク、ＣＤ−ＲＯＭ等であってもよい。
【００８２】
以上で、本発明の諸実施形態に従う干渉消去の方法と装置ならびにフィルタを詳細に説明した。本発明を幾つかの例示的な実施形態により説明したが、本発明はかかる実施形態に限定されない。本発明の範囲から逸脱しない修正と変形を本発明に加えうることは当業者には明らかである。本発明は、添付の特許請求の範囲またはその均等物により定義される保護範囲に当該修正と変形が入るものとして、当該修正と変形を網羅しようとするものである。
【符号の説明】
【００８３】
４０１  第１の受信フィルタ
４０２  第１の送信フィルタ
４０３  デュプレクサ
４０４  位相調整器
４０６  低雑音増幅器
４０９  増幅器
４１０  増幅器
４０３１  第２の受信フィルタ
４０３２  第２の送信フィルタ
５０１  振幅調整器
６０１  位相調節ユニット
６０２  振幅調節ユニット
７０１  第１のデュプレクサ
７０２  第２のデュプレクサ
８０１  第１の受信フィルタ
８０２  第１の送信フィルタ
８０３  第２の受信フィルタ
８０４  第２の送信フィルタ
９０１  第１の受信フィルタ
９０２  第１の送信フィルタ
９０３  デュプレクサ
９０３１  第２の受信フィルタ
９０３２  第２の送信フィルタ
【図１】
0005888630.tif 000002
【図２】
0005888630.tif 000003
【図３】
0005888630.tif 000004
【図４Ａ】
0005888630.tif 000005
【図４Ｂ】
0005888630.tif 000006
【図５Ａ】
0005888630.tif 000007
【図５Ｂ】
0005888630.tif 000008
【図６Ａ】
0005888630.tif 000009
【図６Ｂ】
0005888630.tif 000010
【図７】
0005888630.tif 000011
【図８】
0005888630.tif 000012
【図９】
0005888630.tif 000013